(57)【特許請求の範囲】
【請求項１】
表示手段を有する撮像装置との通信が可能な画像表示装置であって、
前記撮像装置から、撮影画像を受信する画像受信手段と、
前記撮影画像のうち、前記画像表示装置で表示する範囲を、拡大／縮小または移動させる設定手段と、
前記設定手段で設定された領域の情報を送信する設定領域情報送信手段とを有することを特徴とする画像表示装置。
【請求項２】
画像表示装置との通信が可能な撮像装置であって、
撮影画像を表示する表示手段と、
前記画像表示装置に対して前記撮影画像を送信する画像送信手段と、
前記撮影画像のうち、前記画像表示装置で表示される範囲を、拡大／縮小または移動して設定された領域の情報を受信する設定領域情報受信手段とを有することを特徴とする撮像装置。
【請求項３】
前記表示手段は、前記受信した領域の情報を示す指標を前記撮影画像に重畳させて表示することを特徴とする請求項２に記載の撮像装置。
【請求項４】
請求項１に記載の画像表示装置と、
請求項２または３に記載の撮像装置とを有することを特徴する画像表示システム。
【発明の詳細な説明】
【技術分野】
【０００１】
本発明は、デジタルカメラ等の撮像装置とプロジェクタ等の画像表示装置との間で通信を行いながら画像を表示する画像表示システムに関する。
【背景技術】
【０００２】
デジタルスチルカメラやビデオカメラ等の撮像装置には、撮影画像を拡大することができるデジタルズーム機能が設けられており、拡大された画像は撮像装置に設けられたディスプレイに表示される。さらに、撮像装置には、デジタルズームを行うと、デジタルズーム前の元画像においてどの領域が拡大されているのかを示すためのガイド画面を拡大後の画像に重畳して表示するものも提案されている（特許文献１）。
【先行技術文献】
【特許文献】
【０００３】
【特許文献１】特開２００４−０７２２０７号公報
【発明の概要】
【発明が解決しようとする課題】
【０００４】
しかしながら、特許文献１にて開示された撮像装置のように、ガイド画面を表示すべき拡大画像（表示画像）に重畳して表示すると、該表示画像の表示の妨げとなってしまう場合がある。
【０００５】
本発明は、表示画像の表示を妨げることなく、元画像のうち該表示画像に対応する領域をユーザが認識できるようにした撮像装置、画像表示装置および画像表示システムを提供する。
【課題を解決するための手段】
【０００６】
本発明の一側面としての画像表示装置は、表示手段を有する撮像装置との通信が可能な画像表示装置であって、撮像装置から、撮影画像を受信する画像受信手段と、撮影画像のうち、画像表示装置で表示する範囲を、拡大／縮小または移動させる設定手段と、設定手段で設定された領域の情報を送信する設定領域情報送信手段とを有することを特徴とする。
【０００７】
また、本発明の他の一側面としての撮像装置は、画像表示装置との通信が可能な撮像装置であって、撮影画像を表示する表示手段と、画像表示装置に対して撮影画像を送信する画像送信手段と、撮影画像のうち、画像表示装置で表示される範囲を、拡大／縮小または移動して設定された領域の情報を受信する手段とを有することを特徴とする。
【０００８】
なお、上記撮像装置と上記画像表示装置とを有する画像表示システムも本発明の他の一側面を構成する。
【発明の効果】
【０００９】
本発明によれば、画像表示装置によって撮影画像のうち特定領域の画像（表示画像）を表示するのとは別に、撮像装置の表示手段に撮影画像（元画像）の全体を表示することができる。これにより、表示画像の表示を妨げることなく、元画像のうち該表示画像に対応する領域をユーザに認識させることができる。
【図面の簡単な説明】
【００１０】
【図１】本発明の実施例１である画像表示システムを示す図。
【図２】実施例１の画像表示システムを構成するデジタルカメラの構成を示すブロック図。
【図３】実施例１の画像表示システムを構成するプロジェクタの構成を示すブロック図。
【図４】実施例１の画像表示システムにおけるデジタルカメラとプロジェクタの動作を示すフローチャート。
【図５】実施例１の画像表示システムにおける特定領域の拡大／縮小動作を示す図。
【図６】実施例１の画像表示システムにおける特定領域の移動動作を示す図。
【図７】本発明の実施例２である画像表示システムを構成するデジタルカメラの動作を示すフローチャート。
【図８】実施例１の画像表示システムにおける特定領域の情報の通信を示す図。
【発明を実施するための形態】
【００１１】
以下、本発明の実施例について図面を参照しながら説明する。
【実施例１】
【００１２】
図１には、本発明の実施例１である画像表示システムの使用例を示している。画像表示システムは、撮像装置としてのデジタルカメラ１２と、画像表示装置としてのプロジェクタ１０とにより構成され、これらは通信ケーブル１５を介して（又は無線により）相互に通信可能に接続されている。なお、撮像装置として、ビデオカメラを用いてもよい。
【００１３】
プロジェクタ１０は、デジタルカメラ１２その他の画像供給装置から入力された画像（入力画像）の全体又はその一部である出力領域を、該プロジェクタ１０にて設定された表示アスペクト比で表示するように不図示のスクリーンに投射する。プロジェクタ１０は、液晶表示素子を用いた液晶プロジェクタであってもよいし、デジタルマイクロミラーデバイスを用いたプロジェクタであってもよい。また、画像表示装置として、プロジェクタのように画像を投射する装置ではなく、液晶パネル等の直視用モニタに画像を表示する装置を用いてもよい。
【００１４】
デジタルカメラ１２は、表示手段としての背面モニタ１３にて表示されている撮影画像のデータを、通信ケーブル１５を介してプロジェクタ１０に入力画像として送信する。
【００１５】
また、デジタルカメラ１２は、プロジェクタ１０から送信された、該プロジェクタ１０にて設定されている表示アスペクト比の情報を受信する。そして、デジタルカメラ１２は、背面モニタ１３に、撮影画像のうち、受信した表示アスペクト比に対応する（言い換えれば、一致する又は近い）アスペクト比を有する特定領域を示す指標１４を撮影画像に重畳して表示する。指標１４は、図示のような枠であってもよいし、特定領域の四隅を示すＬ字形状のマークや、特定領域全体を覆う網かけ等、様々なものを採用できる。
【００１６】
また、デジタルカメラ１２において、スイッチ、ボタン、タッチパネル等の操作手段のユーザによる操作に応じて、特定領域を表示アスペクト比に対応するアスペクト比を維持したまま拡大、縮小および移動させることができる。
【００１７】
デジタルカメラ１２は、図８に示すように、撮影画像のうちの特定領域の情報を、通信ケーブル１５を介してプロジェクタ１０に送信する。特定領域の情報は、例えば、特定領域の四隅の点の座標を示す情報（ＡＲＥＡ）と該特定領域の縦横サイズ（縦横辺の長さ）を示す情報（ＳＩＺＥ）のセットである。プロジェクタ１０は、デジタルカメラ１２から予め受信した撮影画像のうち、出力領域としての特定領域の画像（以下、特定領域画像という）１１を表示アスペクト比でスクリーンに投射する。
【００１８】
図２には、上記機能を有するデジタルカメラ１２の構成を示している。１２１は撮影光学系であり、１２２は撮影光学系１２１により形成された被写体像を光電変換するＣＣＤセンサやＣＭＯＳセンサ等により構成される撮像素子である。１２３は撮像素子１２２から出力された撮像信号を用いて撮影画像を生成する画像処理部である。画像処理部１２３にて生成された撮影画像は、背面モニタ１３にて表示されたり、半導体メモリ等の記録メディア１２９に記録されたりする。画像処理部１２３は、記録メディア１２９に既に記録された撮影画像を読み込んで、背面モニタ１３に表示（再生）することもできる。
【００１９】
１２４は画像処理部１２３にて生成された又は記録メディア１２９から読み込まれた撮影画像を、プロジェクタ１０に対して入力画像として通信ケーブル１５を介して送信する画像送信部である。１２５はプロジェクタ１０から通信ケーブル１５を介して表示アスペクト比の情報を受信するアスペクト比受信部である。１２６は撮影画像のうち表示アスペクト比に対応するアスペクト比を有する特定領域を、上記操作手段のユーザ操作を通じて指定させる領域指定部である。１２７は特定領域が出力領域として設定されるように該特定領域の情報をプロジェクタ１０に通信ケーブル１５を介して送信する領域情報送信部である。１２８は画像送信部１２４、アスペクト比受信部１２５および領域情報送信部１２７と通信ケーブル１５とを接続するためのコネクタである。
【００２０】
画像処理部１２３、画像送信部１２４、アスペクト比受信部１２５および領域情報送信部１２７は、カメラ制御部としてのカメラＣＰＵ１２０内に構成されている。
【００２１】
図３には、上記機能を有するプロジェクタ１０の構成を示している。１３１は光源ランプであり、１３２は照明光学系である。照明光学系１３２は、光源ランプ１３１からの無偏光光を所定の偏光方向を有する偏光光に変換したり、光源ランプ１３１からの光を複数の光束に分割して後述する光変調素子上にて互いに重ね合わせたりする。１３３は色分解合成光学系である。色分解合成光学系１３３は、偏光ビームスプリッタ等を含み、照明光学系１３２からの光を複数の色光に分解してそれぞれの色光を複数の光変調素子（液晶パネルやデジタルマイクロミラーデバイス等）１３４に導く。なお、図には、簡略化のために、１つの光変調素子１３４のみを示している。
【００２２】
色分解合成光学系１３３は、複数の光変調素子１３４によってそれぞれ変調された複数の色光を合成して投射光学系１３５に導く。投射光学系１３５は、合成された複数の色光により形成される画像を、スクリーンＳに拡大投射する。
【００２３】
１３６はデジタルカメラ１２から、通信ケーブル１５を介して、入力画像としての撮影画像を受信する画像受信部である。１３７はプロジェクタ１０においてユーザにより又は自動的に設定された表示アスペクト比の情報を、通信ケーブル１５を介して、デジタルカメラ１２に送信するアスペクト比送信部である。
【００２４】
１３８は出力領域設定部である。該出力領域設定部１３８は、デジタルカメラ１２から、前述したように、撮影画像のうち表示アスペクト比に対応するアスペクト比を有する領域として指定された特定領域の情報を受信する。そして、出力領域設定部１３８は、該特定領域に応じて、画像受信部１３６にて受信した撮影画像のうち光変調素子１３４によって光源ランプ１３１からの光の変調に用いる、つまりはスクリーンＳに投射する画像に対応する出力領域を設定する。１３９は画像受信部１３６、アスペクト比送信部１３７および出力領域設定部１３８と通信ケーブル１５とを接続するためのコネクタである。
【００２５】
画像受信部１３６、アスペクト比送信部１３７および出力領域設定部１３８は、表示装置制御部としてのプロジェクタＣＰＵ１３０内に構成されている。
【００２６】
図４のフローチャートには、デジタルカメラ１２（カメラＣＰＵ１２０）とプロジェクタ１０（プロジェクタＣＰＵ１３０）の動作を示している。これらの動作は、カメラＣＰＵ１２０とプロジェクタＣＰＵ１３０により、それぞれのメモリに格納されたコンピュータプログラムに従って実行される。
【００２７】
ステップＳ２０では、カメラＣＰＵ１２０は、撮像により生成した又は記録メディア１２９から読み出した撮影画像を背面モニタ１３に表示する。次に、ステップＳ２１では、カメラＣＰＵ１２０は、背面モニタ１３に表示している撮影画像をプロジェクタ１０に送信する。
【００２８】
ステップＳ３０では、プロジェクタＣＰＵ１３０は、デジタルカメラ１２から送信されてきた撮影画像を受信する。
【００２９】
次に、ステップＳ３１では、プロジェクタＣＰＵ１３０は、プロジェクタ１０にて設定されている表示アスペクト比の情報をデジタルカメラ１２に送信する。
【００３０】
ステップＳ２２では、カメラＣＰＵ１２０は、プロジェクタ１０から送信されてきた非表示アスペクト比を受信する。そして、ステップＳ２３では、カメラＣＰＵ１２０は、背面モニタ１３に表示している撮影画像に、プロジェクタ１０から受信した表示アスペクト比に対応するアスペクト比を有する特定領域を示す指標１４（図１参照）を重畳して表示する。
【００３１】
次に、ステップＳ２４では、カメラＣＰＵ１２０は、特定領域の情報をプロジェクタ１０に送信する。
【００３２】
ステップＳ３２では、プロジェクタＣＰＵ１３０は、デジタルカメラ１２から送信されてきた特定領域の情報を受信する。そして、ステップＳ３３では、プロジェクタＣＰＵ１３０は、ステップＳ３０にてデジタルカメラ１２から受信した撮影画像のうち、ステップＳ３２にて受信した特定領域に対応する特定領域画像に基づいて光変調素子１３４を駆動し、該特定領域画像を投射表示する。
【００３３】
本実施例によれば、デジタルカメラ１２の背面モニタ１３には撮影画像（元画像）の全体が表示され、プロジェクタ１０により、撮影画像のうちプロジェクタ１０にて設定された表示アスペクト比に対応するアスペクト比の特定領域画像（表示画像）が表示される。これにより、特定領域画像の表示を妨げることなく、撮影画像のうち表示アスペクト比に対応するアスペクト比を有する特定領域をユーザに認識させることができる。
【００３４】
次に、領域指定部１２７の機能について説明する。図５において、３１はデジタルカメラ１２の背面モニタ１３に表示された撮影画像のうち特定領域を示す指標である。
【００３５】
この状態から領域指定部１２７においてデジタルズームのテレ側操作が行われると、背面モニタ１３に表示されている撮影画像は拡大されないが、元の（ズーム前の）指標３１がズーム後指標３２に変化する。ズーム後指標３２は、元の指標３１と同じアスペクト比を示している。すなわち、テレ側操作によって、アスペクト比が維持されたまま特定領域のサイズが変更（縮小）される。プロジェクタ１０は、デジタルカメラ１２からズーム後指標３２により示される特定領域の情報を受信し、撮影画像のうち該特定領域の画像を投射表示する。
【００３６】
また、図６において、４１はデジタルカメラ１２の背面モニタ１３に表示された撮影画像のうち特定領域を示す指標である。
【００３７】
この状態から領域指定部１２７において特定領域の上下左右の移動（シフト）を指示するシフト操作が行われると、背面モニタ１３に表示されている撮影画像はシフトしないが、元の（シフト前の）指標４１がシフト後指標４２にシフトする。シフト後指標４２は、元の指標４１と同じアスペクト比を示している。すなわち、シフト操作によって、アスペクト比が維持されたまま特定領域の位置が変更される。プロジェクタ１０は、デジタルカメラ１２からシフト後指標４２により示される特定領域の情報を受信し、撮影画像のうち該特定領域の画像を投射表示する。
【００３８】
領域指定部１２７を設けることで、デジタルカメラ１２の背面モニタ１３に表示された撮影画像上において特定領域のサイズや位置を任意に設定することが可能となり、該任意に設定された特定領域の画像をプロジェクタ１０に投射表示させることができる。
【００３９】
なお、プロジェクタ１０に領域指定部を設け、該領域指定部でのユーザ操作による特定領域の拡大／縮小および移動の指示を通信ケーブル１５を用いてプロジェクタ１０からデジタルカメラ１２に送信するようにすることもできる。
【実施例２】
【００４０】
図７のフローチャートには、本発明の実施例２である画像表示システムにおけるデジタルカメラ１２（カメラＣＰＵ１２０）の動作を示している。
【００４１】
ステップＳ５０およびステップＳ５１は、実施例１（図４）にて説明したステップＳ２０およびステップＳ２１と同じである。
【００４２】
ステップＳ５２では、カメラＣＰＵ１２０は、プロジェクタ１０から特定領域の情報を受信する。これは、プロジェクタ１０に設けられた電子ズーム機能や電子シフト機能によって、撮影画像のうちプロジェクタ１０により投射表示されている特定領域が拡大／縮小または移動された場合に、その特定領域の情報をカメラＣＰＵ１２０が認識する処理である。
【００４３】
次に、ステップＳ５３では、カメラＣＰＵ１２０は、プロジェクタ１０において拡大／縮小または移動された特定領域を示す指標を、背面モニタ１３に表示されている撮影画像上に重畳させて表示する。これにより、プロジェクタ１０にて特定領域が拡大／縮小または移動された場合でも、該特定領域をデジタルカメラ１２において表示してユーザに認識させることができる。
【００４４】
以上説明した各実施例は代表的な例にすぎず、本発明の実施に際しては、各実施例に対して種々の変形や変更が可能である。
【産業上の利用可能性】
【００４５】
画像表示装置によって表示されている画像が、撮影画像のうちどの特定領域の画像かを撮像装置においてユーザが認識できる画像表示システムを提供できる。
【符号の説明】
【００４６】
１０  プロジェクタ
１２  デジタルカメラ
１３  背面モニタ
１２０  カメラＣＰＵ
１２４  画像送信部
１２５  アスペクト比受信部
１２６  領域情報送信部
１２７  領域指定部
【図１】
0005618587.tif 000002
【図２】
0005618587.tif 000003
【図３】
0005618587.tif 000004
【図４】
0005618587.tif 000005
【図５】
0005618587.tif 000006
【図６】
0005618587.tif 000007
【図７】
0005618587.tif 000008
【図８】
0005618587.tif 000009